(57)【要約】【課題】  異なる通貨間での両替取引を行う際に、出金する硬貨の数を抑制する取引装置を提供する。【解決手段】  本発明は、第１の通貨の現金を、第２の通貨の現金に両替する両替取引を行う取引装置に関する。本発明の取引装置は、第１の通貨と第２の通貨を両替する両替比率の上限値及び下限値を保持する手段と、両替取引の処理を行う手段と、現金を収納し取引結果に従って収納している現金を出金する手段と、保持している両替比率の上限値と下限値の範囲内で、かつ、受付けた両替取引に際して出金する硬貨の数を考慮して、当該両替取引で適用する両替比率を決定する手段とを有することを特徴とする。【選択図】      図１
2015143956.tif 000002
【特許請求の範囲】
【請求項１】
第１の通貨の現金を、第２の通貨の現金に両替する両替取引を行う取引装置において、
上記第１の通貨と上記第２の通貨を両替する両替比率の上限値及び下限値を保持する両替比率範囲保持手段と、
両替取引の処理を行う両替取引処理手段と、
上記両替取引処理手段の取引結果に従って、収納している現金を出金する現金処理手段と、
上記両替比率範囲保持手段で保持している両替比率の上限値と下限値の範囲内で、かつ、上記両替取引処理手段で受付けた両替取引に際して出金する硬貨の数を考慮して、当該両替取引で適用する両替比率を決定する両替比率決定手段と
を有することを特徴とする取引装置。
【請求項２】
上記両替比率決定手段は、上記両替比率範囲保持手段で保持している両替比率の上限値と下限値の範囲内で、かつ、上記両替取引処理手段で受付けた両替取引に際して出金する硬貨の数が最も少なくなるように、当該両替取引で適用する両替比率を決定することを特徴とする請求項１に記載の取引装置。
【請求項３】
上記両替比率決定手段は、さらに、上記現金処理手段で収納している硬貨の収納枚数を考慮して、上記両替取引処理手段で受付けた両替取引で適用する両替比率を決定することを特徴とする請求項１に記載の取引装置。
【請求項４】
上記両替比率決定手段は、上記現金処理手段で収納している硬貨のうち、上記両替取引処理手段で受付けた両替取引で出金する金種の収納枚数が閾値以下の場合、当該両替取引に際して、当該金種の硬貨の出金枚数が最少となる両替比率を決定することを特徴とする請求項３に記載の取引装置。
【請求項５】
上記両替比率決定手段は、過去に上記両替取引処理手段で両替取引に適用された両替比率の履歴を保持し、その両替比率の履歴も考慮して、上記両替取引処理手段が行う両替取引に適用する両替比率を決定することを特徴とする請求項１〜４のいずれかに記載の取引装置。
【請求項６】
上記両替比率決定手段は、直前に上記両替取引処理手段で両替取引に適用された両替比率を保持し、上記両替取引処理手段が直前に両替取引を行ってから一定時間内に次の両替取引が実行される場合、当該両替取引の両替比率として直前に上記両替取引処理手段で両替取引に適用された両替比率を適用することを特徴とする請求項５に記載の取引装置。
【請求項７】
第１の通貨の現金を、第２の通貨の現金に両替する両替取引を行う取引装置が行う取引方法において、
両替比率範囲保持手段、両替取引処理手段、現金処理手段、及び両替比率決定手段を有し、
上記両替比率範囲保持手段は、上記第１の通貨と上記第２の通貨を両替する両替比率の上限値及び下限値を保持し、
上記両替取引処理手段は、両替取引の処理を行い、
上記現金処理手段は、上記両替取引処理手段の取引結果に従って、収納している現金を出金し、
上記両替比率決定手段は、上記両替比率範囲保持手段で保持している両替比率の上限値と下限値の範囲内で、かつ、上記両替取引処理手段で受付けた両替取引に際して出金する硬貨の数を考慮して、当該両替取引で適用する両替比率を決定する
ことを特徴とする取引方法。
【発明の詳細な説明】
【技術分野】
【０００１】
本発明は、取引装置及び取引方法に関し、例えば、外貨両替機能に対応する自動取引装置（ＡＴＭ；Ａｕｔｏｍａｔｅｄ  Ｔｅｌｌｅｒ  Ｍａｃｈｉｎｅ）に適用し得る。
【背景技術】
【０００２】
従来のＡＴＭでは、外貨両替機能に対応したものがある。従来、日本国内で用いられるＡＴＭで対応する外貨両替の取引としては、例えば、顧客が挿入した日本円現金を、顧客が指定した外貨に両替する外貨販売取引、顧客が挿入した外貨を日本円現金に両替を行う外貨買取取引がある。
【０００３】
従来の外貨両替機能に対応したＡＴＭでは、紙幣及び硬貨の入出金を行うことができる。また、従来、日本国内で用いられる外貨両替機能に対応したＡＴＭでは、一般的に、日本円の紙幣として、１万円券（１万円札）、１千円券（１千円札）の出金が可能であり、日本円の硬貨として５００円硬貨、１００円硬貨、５０円硬貨、１０円硬貨、５円硬貨、１円硬貨の出金が可能である。
【０００４】
さらに、従来、日本国内で用いられる外貨両替機能に対応したＡＴＭでは、日本円現金に対して固定の両替レートに従い外貨販売取引を行い両替した外貨と併せて日本円でお釣りの出金を行う。さらにまた、従来、日本国内で用いられる外貨両替機能に対応したＡＴＭでは、固定の両替レートに従い外貨買取取引を行った場合は、全て日本円で出金を行う。また、従来、日本国内で用いられる外貨両替機能に対応したＡＴＭでは、外貨取引の両替レートは、外貨販売会社の手数料込みの両替レートとなっているため、外貨販売会社が損をしない所定の両替レートに固定されている（特許文献１参照）。
【先行技術文献】
【特許文献】
【０００５】
【特許文献１】特開２０００−１１３２８５号公報
【発明の概要】
【発明が解決しようとする課題】
【０００６】
しかしながら、従来の外貨両替機能に対応したＡＴＭでは、固定の両替レートだけで取引を行うと、硬貨出金を行う頻度が増加してしまう場合がある。そして、従来のＡＴＭで、外貨両替の取引を行う際に、収納している硬貨が不足する場合、外貨両替の取引を中止しなければならないという問題がある。さらに従来のＡＴＭで、硬貨出金を行う頻度が増加してしまうと、装置内の硬貨が不足してしまい取扱中止となる頻度が増加し、顧客へのサービス時間が短くなる等の問題が生じる。
【０００７】
そのため、異なる通貨間での両替取引（例えば、外貨両替の取引）を行う際に、出金する硬貨の数を抑制することができる取引装置及び取引方法が望まれている。
【課題を解決するための手段】
【０００８】
第１の本発明は、第１の通貨の現金を、第２の通貨の現金に両替する両替取引を行う取引装置において、（１）上記第１の通貨と上記第２の通貨を両替する両替比率の上限値及び下限値を保持する両替比率範囲保持手段と、（２）両替取引の処理を行う両替取引処理手段と、（３）上記両替取引処理手段の取引結果に従って、収納している現金を出金する現金処理手段と、（４）上記両替比率範囲保持手段で保持している両替比率の上限値と下限値の範囲内で、かつ、上記両替取引処理手段で受付けた両替取引に際して出金する硬貨の数を考慮して、当該両替取引で適用する両替比率を決定する両替比率決定手段とを有することを特徴とする。
【０００９】
第２の本発明は、第１の通貨の現金を、第２の通貨の現金に両替する両替取引を行う取引装置が行う取引方法において、（１）両替比率範囲保持手段、両替取引処理手段、現金処理手段、及び両替比率決定手段を有し、（２）上記両替比率範囲保持手段は、上記第１の通貨と上記第２の通貨を両替する両替比率の上限値及び下限値を保持し、（３）上記両替取引処理手段は、両替取引の処理を行い、（４）上記現金処理手段は、上記両替取引処理手段の取引結果に従って、収納している現金を出金し、（５）上記両替比率決定手段は、上記両替比率範囲保持手段で保持している両替比率の上限値と下限値の範囲内で、かつ、上記両替取引処理手段で受付けた両替取引に際して出金する硬貨の数を考慮して、当該両替取引で適用する両替比率を決定することを特徴とする。
【発明の効果】
【００１０】
本発明によれば、異なる通貨間での両替取引を行う際に、出金する硬貨の数を抑制する取引装置を提供することができる。
【図面の簡単な説明】
【００１１】
【図１】第１の実施形態に係るＡＴＭの機能的構成及びＡＴＭ周辺の接続構成について示したブロック図である。
【図２】第１の実施形態に係るＡＴＭの取引処理部の内部構成について示したブロック図である。
【図３】第１の実施形態に係るＡＴＭで外貨販売取引が行われる場合の動作について示したフローチャートである。
【図４】第１の実施形態に係るＡＴＭで表示される外貨販売取引内容入力画面の構成例について示した説明図である。
【図５】第１の実施形態に係るＡＴＭで表示される外貨販売取引内容確認画面の構成例について示した説明図である。
【図６】第１の実施形態に係るＡＴＭで外貨買取取引が行われる場合の動作について示したフローチャートである。
【図７】第１の実施形態に係るＡＴＭで表示される外貨買取取引内容の構成例について示した説明図である。
【発明を実施するための形態】
【００１２】
（Ａ）第１の実施形態
以下、本発明による取引装置及び取引方法の第１の実施形態を、図面を参照しながら詳述する。以下では、本発明の取引装置及び取引方法をＡＴＭに適用した例について説明する。
【００１３】
（Ａ−１）第１の実施形態の構成
図１は、この実施形態のＡＴＭ１の機能的構成、及びＡＴＭ１周辺の接続構成について示したブロック図である。
【００１４】
ＡＴＭ１は、ネットワークＮ１を介してＷｅｂサーバ２と接続している。そして、Ｗｅｂサーバ２は、ネットワークＮ２を介して勘定系ホストコンピュータ３と接続している。すなわち、ＡＴＭ１は、Ｗｅｂサーバ２を介して勘定系ホストコンピュータ３と接続している。また、ＡＴＭ１は、Ｗｅｂサーバ２、及び勘定系ホストコンピュータ３と協働して、顧客（以下、「ユーザ」とも呼ぶ）との取引処理を行う。
【００１５】
ＡＴＭ１は、金融機関の店舗等に設置されるものであり、ユーザの操作や、Ｗｅｂサーバ２を介した勘定系ホストコンピュータ３との通信を伴う情報処理により、当該顧客の操作に応じた取引処理（例えば、外貨両替の取引等）を行うものである。
【００１６】
次に、ＡＴＭ１の内部構成について説明する。
【００１７】
ＡＴＭ１は、制御部１１、顧客操作画面１２、レシートプリンタ１３、磁気カードリーダライタ１４、通帳記帳機１５、ジャーナルプリンタ１６、スピーカ１７、カメラ１８、紙幣入出金機１９、及び硬貨入出金機２０を有している。
【００１８】
この実施形態において、ＡＴＭ１は、日本国内に設置されている外貨両替の取引に対応するものであるものとする。ＡＴＭ１は、第１の通貨としての日本円と、第２の通貨（外貨）としての米国ドルとの間で両替可能であるものとする。なお、ＡＴＭ１が両替可能な外貨の種類や数は限定されないものである。また、ＡＴＭ１では、外貨両替の取引として、日本円を米国ドルに両替する外貨販売取引と、米国ドルを日本円に両替する外貨買取取引に対応しているものとして説明する。
【００１９】
以下では、ＡＴＭ１で日本円と米国ドル間の外貨両替の取引を行う際の両替レート（両替比率）は、「円／ドル」の単位で表すものとする。例えば、両替レートが１００円／ドルの場合、１ドルあたり１００円で両替が行われるものとする。なお、ＡＴＭ１では、外貨販売取引と外貨買取取引とで同じ両替レートが適用されるものとして説明するが異なる両替レートを適用するようにしてもよい。
【００２０】
制御部１１は、ＡＴＭ１内の各部の動作を制御する機能を担っているものであり、取引処理部１１１、及び通信部１１２を有している。
【００２１】
制御部１１は、例えば、プロセッサ等を含むプログラムの実施構成に実施形態の取引プログラム（取引処理部１１１等の処理構成を含むプログラム）等をインストールすることにより実現することができる。
【００２２】
図２は、取引処理部１１１の内部構成について示したブロック図である。
【００２３】
取引処理部１１１は、顧客との取引処理を行うための情報処理（顧客への操作画面の提示や操作受付に伴う処理を含む）や取引処理に伴ってＡＴＭ１内の各構成要素の制御等を行うものである。
【００２４】
また、取引処理部１１１は、両替レート決定部１１３及び両替レート範囲保持部１１４を有している。
【００２５】
両替レート範囲保持部１１４は、Ｗｅｂサーバ２を介して勘定系ホストコンピュータ３と通信し、勘定系ホストコンピュータ３の制御に基づいて当該ＡＴＭ１で適用可能な両替レートの範囲（上限値及び下限値）のデータ（以下、「両替レートデータ」と呼ぶ）を保持する。なお、両替レート範囲保持部１１４で保持する両替レートデータの取得方法は限定されないものであり、例えば、手動により直接設定を受けるようにしてもよい。なお、両替レート範囲保持部１１４で保持される両替レートデータには、当該ＡＴＭ１を用いて営業する企業（例えば、外貨販売会社等）に損失が発生しない範囲が設定されていることは当然である。
【００２６】
両替レートデータには両替レートの上限値及び下限値が設定されているものとする。例えば、両替レート範囲保持部１１４で、両替レートデータが９８〜１００円／ドルに設定されている場合に、当該ＡＴＭ１では、９８〜１００円／ドルの間のいずれかのレートで、外貨両替の取引を行うことが可能であることを示しているものとする。
【００２７】
両替レート決定部１１３は、取引処理部１１１が外貨両替の取引（外貨販売取引、又は外貨買取取引）を行う際に適用する両替レートを、両替レート範囲保持部１１４で保持している範囲内で決定する処理を行う。両替レート決定部１１３が行う処理の詳細については後述する。
【００２８】
通信部１１２は、ネットワークＮ１に接続するためのネットワークインタフェースである。
【００２９】
顧客操作画面１２は、当該ＡＴＭ１を操作する顧客との顧客インタフェースの機能を担っている。顧客操作画面１２で、顧客とのインタフェースに用いるデバイスの種類は限定されないものであるが、ここでは、取引の操作を受付けることが可能な画面を表示可能なタッチパネルディスプレイが適用されているものとして説明する。顧客操作画面１２は、取引処理部１１１の制御に従って、操作画面の提示及び操作の受付を行う。
【００３０】
スピーカ１７は、顧客に対する音声ガイダンス等の音声出力を行うためのスピーカである。スピーカ１７は、取引処理部１１１の制御に従って音声出力を行う。
【００３１】
カメラ１８は、当該ＡＴＭ１を操作する顧客等を撮像して記録する機能を担っている。
【００３２】
磁気カードリーダライタ１４は、顧客から挿入されたカード（キャッシュカード）のデータ読取を行うものである。
【００３３】
レシートプリンタ１３は、取引内容を印字した明細票等を印刷して排出するものである。
【００３４】
ジャーナルプリンタ１６は、取引内容の履歴を印字して保持するものである。
【００３５】
通帳記帳機１５は、通帳処理の機能を担っており、顧客から挿入された通帳の記帳等の処理を行う。
【００３６】
紙幣入出金機１９及び硬貨入出金機２０は、顧客から投入された現金を受入れて収納する機能と、収納した現金を顧客に出金するものである。ここでは、紙幣入出金機１９及び硬貨入出金機２０は、日本円及び米国ドルの現金の入金及び出金ができるものとして説明する。
【００３７】
紙幣入出金機１９は、金種ごとに紙幣の入金（収納）及び出金（排出）を行うことができる。ここでは、紙幣入出金機１９は、日本円の紙幣として、１万円券、五千円券、及び千円券の入金及び出金が可能であるものとする。また、ここでは、紙幣入出金機１９は、米国ドルの紙幣として１００ドル券、１０ドル券、及び１ドル券の収納及び出金が可能であるものとする。
【００３８】
硬貨入出金機２０は、金種ごとに硬貨の入金（収納）及び出金（排出）を行うことができる。ここでは、硬貨入出金機２０は、日本円の硬貨として、５００円硬貨、１００円硬貨、５０円硬貨、１０円硬貨及び１円硬貨の入金及び出金が可能であるものとする。また、ここでは、硬貨入出金機２０は、米国ドル等の外貨の硬貨については収納せず、入出金しないものとして説明する。なお、ＡＴＭ１で、外貨の硬貨出金も行う場合には、硬貨入出金機２０でその外貨の硬貨についても収納して入出金する構成とする必要がある。
【００３９】
上記のように、第１の実施形態のＡＴＭ１では、取引処理部１１１（両替レート範囲保持部１１４）が、両替比率範囲保持手段として機能する。また、第１の実施形態のＡＴＭ１では、取引処理部１１１及び顧客操作画面１２が、両替取引処理手段として機能する。さらに、第１の実施形態のＡＴＭ１では、紙幣入出金機１９及び硬貨入出金機２０が、現金処理手段として機能する。第１の実施形態のＡＴＭ１では、取引処理部１１１（両替レート決定部１１３）が、両替比率決定手段として機能する。
【００４０】
（Ａ−２）第１の実施形態の動作
次に、以上のような構成を有する第１の実施形態のＡＴＭ１の動作を説明する。
【００４１】
以下では、ＡＴＭ１で、外貨販売取引が行われる場合の動作について図３のフローチャートを用いて説明する。
【００４２】
まず、顧客により、ＡＴＭ１の顧客操作画面１２に対して操作が行われ、制御部１１（取引処理部１１１）が外貨販売取引の処理を開始したものとする（Ｓ１０１）。
【００４３】
次に、取引処理部１１１は、顧客操作画面１２を制御して、顧客から外貨販売取引の内容入力を受付ける画面（以下、「外貨販売取引内容入力画面」と呼ぶ）を表示させる（Ｓ１０２）。
【００４４】
図４は、外貨販売取引内容入力画面の構成例について示した説明図である。
【００４５】
図４に示す外貨販売取引内容入力画面には、両替後の米国ドルの枚数を金種ごとに入力するためのフィールドＦ１０１が配置されている。フィールドＦ１０１には、金種ごとの米国ドルの枚数を表示するセル、及びそれらの米国ドルの合計金額が表示されるセルが配置されたテーブルが表示されている。図４に示すフィールドＦ１０１では、例として、１００ドル券（図４では「１００＄」と表示）、１０ドル券（図４では「１０＆」と表示）、及び１ドル券（図４では「１＄」と表示）のそれぞれについて枚数を入力可能なセルが配置されている。また、図４に示すフィールドＦ１０１では、入力された各金種の枚数に応じた合計金額（図４では「合計（＄）」と表示）を表示するセルが配置されている。
【００４６】
フィールドＦ１０１で各金種の枚数を表示するセルの周辺（図４では当該セルの右側）に、それぞれ、当該セルに対応する金種の枚数を増やす（１枚加算する）ためのボタンＢＵと、当該セルに対応する金種の枚数を減らす（１枚減算する）ためのボタンＢＤが配置されている。
【００４７】
例えば、図４では１００ドル券の枚数が「１」、１０ドル券の枚数が「０」、１ドル券の枚数が「０」となっているため合計金額が１００ドルとなっている。
【００４８】
そして、図４に示す外貨販売取引内容入力画面では、外貨販売取引における両替後の金種ごとの枚数決定を受付けるためのボタンＢ１０１、及び取引を中止して初期画面（例えば、取引を選択するメニュー画面）に遷移するためのボタンＢ１０２が配置されている。
【００４９】
外貨販売取引内容入力画面で、両替後の金種ごとの枚数が決定（決定のボタンＢ１０１が押下）されると、制御部１１では、両替レート決定部１１３により、両替レート範囲保持部１１４で保持されている両替レートデータが取得される（Ｓ１０３）。
【００５０】
そして、両替レート決定部１１３では、取得した両替レートデータの範囲内の両替レートで、今回の取引で適用する両替レートが決定される（Ｓ１０４）。
【００５１】
ここで、両替レート決定部１１３は、両替レートデータと、顧客から入力された両替後の米国ドルの金額とに基づいて、今回の外貨販売取引に際して日本円硬貨の出金枚数（全ての金種の硬貨の枚数の合計）が最小となる両替レートを算出する。両替レート決定部１１３が両替レートを決定する処理の詳細については後述する。
【００５２】
次に、取引処理部１１１は、顧客操作画面１２を制御して、今回の外貨販売取引の内容を確認させる画面（以下、「外貨販売取引内容確認画面」と呼ぶ）を表示させる（Ｓ１０５）。
【００５３】
図５は、外貨販売取引内容入力画面の構成例について示した説明図である。
【００５４】
図５に示す外貨販売取引内容入力画面には、両替後の米国ドルの枚数を金種ごとに表示するためのフィールドＦ２０１が配置されている。なお、フィールドＦ２０１の表示形式は上述のフィールドＦ１０１と同様であるため詳しい説明は省略する。また、図５に示す外貨販売取引内容確認画面には、上述の図４と同様に、フィールドＦ２０１に表示される金種ごとに、当該金種の枚数を増やす（１枚加算する）ためのボタンＢＵと、当該金種の枚数を減らす（１枚減算する）ためのボタンＢＤが配置されている。
【００５５】
また、図５に示す外貨販売取引内容確認画面には、両替レート決定部１１３が決定した両替レートを表示するフィールドＦ２０２、入力された米国ドルを日本円に両替（フィールドＦ２０２で表示された両替レートで両替）した場合の金額（以下、「両替金額」とも呼ぶ）を表示するフィールドＦ２０３、及び今回の外貨販売取引に際して投入必要な金額（以下、「投入必要金額」と呼ぶ）を表示するフィールドＦ２０４が配置されている。
【００５６】
この実施形態のＡＴＭ１では、外貨両替の取引に際して、全て紙幣での入金を受付けるものとする。そして、ＡＴＭ１において、取扱い可能な最小額面の日本円の紙幣が１千円券であるため、取引処理部１１１は、両替金額の１千円以下を切り上げた金額（１千円単位の金額）を、投入必要金額としてフィールドＦ２０４に表示する。
【００５７】
また、図５に示す外貨販売取引内容確認画面では、外貨販売取引における取引内容を確認して、次の処理に移行することを受付けるためのボタンＢ２０１、及び取引を中止して初期画面（例えば、取引を選択するメニュー画面）に遷移するためのボタンＢ２０２が配置されている。
【００５８】
外貨販売取引内容確認画面で、確認のボタンＢ２０１が押下されると、取引処理部１１１は、紙幣入出金機１９を制御して、紙幣（日本円）での入金を受付ける処理を行う（Ｓ１０６）。具体的には、取引処理部１１１は、紙幣入出金機１９で紙幣の投入が可能な状態（例えば、図示しないシャッター等を開状態）とし、紙幣が投入された場合その紙幣を取り込んで計数する制御処理を行う。
【００５９】
次に、取引処理部１１１は、上述のステップＳ１０５で決定した両替内容に従って、両替後の外貨（両替後の米ドル）、及びお釣り（入金された金額から両替金額を差し引いた額）の計数処理（金種ごとに出金する枚数の計数）、及び出金処理（計数処理した現金を排出する処理）を行うように、紙幣入出金機１９及び硬貨入出金機２０を制御する（Ｓ１０７、Ｓ１０８）。また、このとき、取引処理部１１１は、レシートプリンタ１３を制御して取引内容を印字した明細票を排出させると共に、ジャーナルプリンタ１６を制御して取引履歴を印字記録させる。
【００６０】
次に、顧客により、出金（排出）した現金や明細票が全て抜き取られると、取引処理部１１１は、取引が終了したと判断して、今回の取引処理を終了し（Ｓ１０９）、取引可能な状態で待機する処理（例えば、顧客操作画面１２の操作画面を取引を選択するメニュー画面に遷移させる処理）を行う。
【００６１】
次に、両替レート決定部１１３が行う両替レートの決定処理の詳細について説明する。
【００６２】
上述の通り、両替レート決定部１１３は、両替レートデータと、両替後の米国ドル（外貨）の合計金額とに基づいて、外貨販売取引に際して、日本円硬貨の出金枚数を最小とすることができる両替レートを算出する。また、ＡＴＭ１では、上述の通り、外貨両替の取引に際しては、全て紙幣での入金を受付けるため、両替レートの１千円以下を切り上げただけの投入必要金額より多くの現金が入金されたとしても、出金する硬貨の数は変動しない。
【００６３】
したがって、ここでは、両替レート決定部１１３は、投入必要金額から両替金額を差し引いた額（すなわち、１千円未満の端数）をお釣りとして出金した場合の硬貨の枚数（全ての金種の出金枚数の合計）が最少となる両替レートを決定するものとする。なお、以下では、外貨両替取引に際して出金する必要のある硬貨の枚数を「出金必要硬貨枚数」と呼ぶものとする。
【００６４】
両替レート決定部１１３が、両替レートデータと、両替後の米国ドル（外貨）の合計金額とに基づいて、出金必要硬貨枚数が最少となる両替レートを決定するためのアルゴリズムについては限定されないものであり、種々の計算方法を適用することができる。例えば、両替レート決定部１１３は、両替レートを、両替レートデータで指定された下限値から上限値までの間で所定のグリッド幅（例えば、「０．１円／ドル」）ずつ増加させて、それぞれについて出金必要硬貨枚数を求め、その枚数が最少となる両替レートを検索するようにしてもよい。
【００６５】
例えば、両替レートデータとして９８〜１００円／ドルが設定されており、両替後の米国ドル（外貨）の合計金額が１００ドルである場合を想定する。この場合両替レート決定部１１３が、両替レートを、９８．００円／ドルから、０．１円／ドルずつ増加させて、出金必要硬貨枚数を算出（両替金額及び投入必要金額に基づいて算出）する。その結果、両替レートを１００．００円／ドルとしたときに、両替金額及び投入必要金額がいずれも１００００円で、出金必要硬貨枚数が０枚となるため、両替レート決定部１１３は、今回の取引で用いる両替レートとして１００．００円／ドルを出力することになる。
【００６６】
次に、ＡＴＭ１で、外貨買取取引が行われる場合の動作について図６のフローチャートを用いて説明する。
【００６７】
なお、この実施形態のＡＴＭ１では、外貨買取取引に際して、外貨の紙幣（米国ドル紙幣）のみを買取り、外貨の硬貨（米国ドル硬貨）については買取を行わないものとして説明する。
【００６８】
まず、顧客により、ＡＴＭ１の顧客操作画面１２に対して操作が行われ、制御部１１（取引処理部１１１）が外貨買取取引の処理を開始したものとする（Ｓ２０１）。
【００６９】
次に、取引処理部１１１は、紙幣入出金機１９を制御して、紙幣での入金を受付ける処理を行う（Ｓ２０２）。具体的には、取引処理部１１１は、紙幣入出金機１９で紙幣の投入が可能な状態（例えば、図示しないシャッター等を開状態）とし、紙幣が投入された場合その紙幣を取り込んで計数する制御処理を行う。
【００７０】
紙幣が入金されると、制御部１１では、両替レート決定部１１３により、両替レート範囲保持部１１４で保持されている両替レートデータが取得される（Ｓ２０３）。
【００７１】
そして、両替レート決定部１１３では、取得した両替レートデータの範囲内の両替レートで、今回の取引で適用する両替レートが決定される（Ｓ２０４）。
【００７２】
ここで、両替レート決定部１１３は、保持している両替レートデータの範囲内で、入金された米国ドルの合計金額を両替して日本円を出金する際の出金必要硬貨枚数が最小となる両替レートを算出する。言い換えると、両替レート決定部１１３は、両替レートデータと、顧客から入金された両替前の米国ドルの金額とに基づいて、出金必要硬貨枚数を最小とすることができる両替レートを算出する。両替レート決定部１１３が両替レートを決定する処理の詳細については後述する。
【００７３】
次に、取引処理部１１１は、顧客操作画面１２を制御して、回の外貨買取取引（両替取引）の内容を確認させる画面（以下、「外貨買取取引内容確認画面」と呼ぶ）を表示させる（Ｓ２０５）。
【００７４】
図７は、外貨買取取引内容入力画面の構成例について示した説明図である。
【００７５】
図７に示す外貨買取取引内容入力画面には、入金された米国ドルの金種ごとの枚数及び合計金額を表示するためのフィールドＦ３０１が配置されている。
【００７６】
また、図７に示す外貨買取取引内容確認画面には、両替レート決定部１１３が決定した両替レートを表示するＦ３０２、及び両替後の日本円の合計金額を表示するフィールドＦ３０３が配置されている。
【００７７】
さらに、図７に示す外貨買取取引内容確認画面では、外貨買取取引における取引内容を決定して、次の処理に移行することを受付けるためのボタンＢ３０１、及び取引を中止して初期画面（例えば、取引を選択するメニュー画面）に遷移するためのボタンＢ３０２が配置されている。
【００７８】
外貨買取取引内容確認画面で、次の処理に移行することを受付けるためのボタンＢ３０１が押下されると、取引処理部１１１は、上述のステップＳ２０４で決定した内容に従って、両替後の日本円の計数処理（金種ごとに出金する枚数の計数）、及び出金処理（計数処理した現金を排出する処理）を行うように制御する（Ｓ２０６、Ｓ２０７）。また、このとき、取引処理部１１１は、レシートプリンタ１３を制御して取引内容を印字した明細票を排出させると共に、ジャーナルプリンタ１６を制御して取引履歴を印字記録させる。
【００７９】
次に、顧客により、出金（排出）した現金や明細票が全て抜き取られると、取引処理部１１１は、取引が終了したと判断して、今回の取引処理を終了し（Ｓ２０８）、取引可能な状態で待機する処理（例えば、顧客操作画面１２の操作画面を取引を選択するメニュー画面に遷移させる処理）を行う。
【００８０】
次に、両替レート決定部１１３が行う両替レートの決定処理の詳細について説明する。
【００８１】
上述の通り、両替レート決定部１１３は、両替レートデータと、入金された両替前の米国ドル（外貨）の合計金額とに基づいて、両替後の日本円を出金する際の出金必要硬貨枚数を最小とすることができる両替レートを算出する。
【００８２】
両替レート決定部１１３が、両替レートデータと、入金された両替前の米国ドル（外貨）の合計金額とに基づいて、出金必要硬貨枚数が最少となる両替レートを決定するためのアルゴリズムについては限定されないものであり、種々の計算方法を適用することができる。例えば、両替レート決定部１１３は、両替レートを、両替レートデータで指定された下限値から上限値までの間で所定のグリッド幅（例えば、「０．１円／ドル」）ずつ変動させて、それぞれについて出金必要硬貨枚数を求め、その枚数が最少となる両替レートを検索するようにしてもよい。
【００８３】
例えば、両替レートデータとして９８〜１００円／ドルが設定されており、両替前の米国ドル（外貨）の合計金額が１００ドルである場合を想定する。この場合両替レート決定部１１３が、両替レートを、９８．００円／ドルから、０．１円／ドルずつ増加させて、出金必要硬貨枚数を算出する。その結果、両替レートを１００．００円／ドルとしたときに、両替後の日本円の合計金額が１００００円で、出金必要硬貨枚数が０枚となるため、今回の取引で用いる両替レートとして１００．００円／ドルを出力することになる。
【００８４】
（Ａ−３）第１の実施形態の効果
第１の実施形態によれば、以下のような効果を奏することができる。
【００８５】
ＡＴＭ１（取引処理部１１１）では、外貨両替の取引を行う際に、両替レートデータの範囲内で、出金必要硬貨枚数が最少となるように両替レートを決定しているため、硬貨の出金枚数を抑制し、顧客へのサービス時間が短くなることを防止する等の利便性の向上を図ることができる。
【００８６】
（Ｂ）第２の実施形態
以下、本発明による取引装置及び取引方法の第２実施形態を、図面を参照しながら詳述する。以下では、本発明の取引装置及び取引方法をＡＴＭに適用した例について説明する。
【００８７】
（Ｂ−１）第２の実施形態の構成及び動作
第２の実施形態のＡＴＭ１の機能的構成については、第１の実施形態と同様に上述の図１、及び図２を用いて示すことができる。
【００８８】
以下では、第２の実施形態のＡＴＭ１について、第１の実施形態との差異のみを説明する。
【００８９】
第２の実施形態のＡＴＭ１では、両替レート決定部１１３の処理が第１の実施形態と異なっている。
【００９０】
第１の実施形態では、両替レート決定部１１３は、外貨販売取引又は外貨買取取引を行う際に出金する硬貨の枚数が最少となるように両替レートを決定していた。これに対して、この実施形態では、両替レート決定部１１３は、さらに硬貨入出金機２０で収納している出金可能な硬貨の残枚数を考慮して、両替レートを決定するものとする。
【００９１】
例えば、両替レート決定部１１３は、硬貨入出金機２０から収納している金種ごとの残枚数を保持し、残枚数が所定の閾値（以下、「残枚数閾値」と呼ぶ）未満の硬貨が検出された場合には、当該金種の出金枚数が最少となる両替レートを決定するようにしてもよい。また、両替レート決定部１１３は、硬貨入出金機２０で残枚数が残枚数閾値となる金種がない場合には、所定の両替レート（例えば、両替レートデータの下限値又は上限値）を決定するようにしてもよい。
【００９２】
ここでは、例として、両替レート決定部１１３に残枚数閾値として２０枚が設定されていたものとする。また、ここでは、両替レート範囲保持部１１４に、両替レートとして９８〜１００円／ドルが設定されていたものとする。
【００９３】
このとき、両替レート決定部１１３は、硬貨入出金機２０で全ての金種の硬貨が残枚数閾値（２０枚）以上あるときに、両替後の米国ドル（外貨）を１００ドルとする外貨販売取引がおこなわれると、両替レートとして両替レートデータの下限値（９８円／ドル）を固定的に適用するものとする。このとき、両替レート決定部１１３は、硬貨入出金機２０で全ての金種の硬貨が残枚数閾値（２０枚）以上あるため、日本円の入金を９千８００円として硬貨出金が発生する金額で取引を行う。
【００９４】
一方、硬貨入出金機２０で、１００円硬貨について残枚数閾値（２０枚）未満となった場合には、両替レート決定部１１３は、１００円硬貨の出金が最も少なくなる外貨両替レートを決定する。例えば、両替レート決定部１１３は、両替レートとして１００円／ドルを適用することにより、日本円の入金を１万円として硬貨出金が発生しない金額で外貨販売取引を行うことができる
（Ｂ−２）第２の実施形態の効果
第２の実施形態によれば、第１の実施形態の効果に加えて以下のような硬貨を奏することができる。
【００９５】
第２の実施形態のＡＴＭ１では、硬貨入出金機２０で収納している出金可能な硬貨の残枚数を考慮し、残枚数が少なくなった硬貨が発生したときに限定して、両替レートを変更し硬貨出金を抑制することで、顧客へのサービス時間が短くなることを防止すること等の利便性の向上を図ることができる。
【００９６】
（Ｃ）第３の実施形態
以下、本発明による取引装置及び取引方法の第３施形態を、図面を参照しながら詳述する。以下では、本発明の取引装置及び取引方法をＡＴＭに適用した例について説明する。
【００９７】
（Ｃ−１）第３の実施形態の構成及び動作
第３実施形態のＡＴＭ１の機能的構成については、第１の実施形態と同様に上述の図１、及び図２を用いて示すことができる。
【００９８】
以下では、第３実施形態のＡＴＭ１について、第１の実施形態との差異のみを説明する。
【００９９】
第３実施形態のＡＴＭ１では、両替レート決定部１１３の処理が第１の実施形態と異なっている。
【０１００】
第１の実施形態では、両替レート決定部１１３は、外貨両替の取引（外貨販売取引又は外貨買取取引）を行う際の出金必要硬貨枚数が最少となるように両替レートを決定していた。これに対して、第３の実施形態の両替レート決定部１１３は、さらに、取引に適用した両替レートの履歴を保持し、その履歴情報も考慮して、両替レートを決定するものとする。
【０１０１】
具体的には、第３の実施形態の両替レート決定部１１３は、最後（直前）に取引に適用した両替レートを一定時間（以下、「取引間時間データ」と呼ぶ）保持し、当該両替レートを保持している間に次の外貨両替の取引が実行された場合（前回の取引との間隔が取引間時間データ未満の場合）に、保持している前回の両替レートを今回の取引にも適用する処理を行う。
【０１０２】
ここでは、例として、両替レート決定部１１３に取引間時間データとして３０秒が設定されていたものとする。また、ここでは、両替レート範囲保持部１１４に、両替レートとして９８〜１００円／ドルが設定されていたものとする。
【０１０３】
この場合、最初に、両替レート１００[円／ドル]で１００ドルの外貨販売取引が行われた後、取引間時間データの３０秒以内に、次の外貨販売取引が開始されたとき、取引の内容に関わらず、直前の取引に使用した両替レート（１００[円／ドル]）をそのまま適用するものとする。さらに、その後、最後の外貨販売取引から、取引間時間データの３０秒以内に、次の外貨販売取引が開始された場合も、直前の取引に使用した両替レート（１００[円／ドル]）をそのまま適用することになる。
【０１０４】
なお、第３の実施形態の処理（取引に適用した両替レートの履歴）は、第２の実施形態のＡＴＭ１に適用するようにしてもよい。
【０１０５】
（Ｃ−２）第３の実施形態の効果
第３の実施形態によれば、第１及び第２の実施形態の効果に加えて以下のような硬貨を奏することができる。
【０１０６】
第３の実施形態のＡＴＭ１では、外貨両替の取引に適用した両替レートの履歴も考慮して、取引レートを決定している。これにより第３の実施形態のＡＴＭ１では、短時間に連続して外貨両替の取引が行われる場合、取引を行った顧客の間で不公平感が生じないようにすることができる。
【０１０７】
（Ｄ）他の実施形態
本発明は、上記の各実施形態に限定されるものではなく、以下に例示するような変形実施形態も挙げることができる。
【０１０８】
（Ｄ−１）上記の各実施形態では、本発明の取引装置を、日本円と米国ドルの間で両替するＡＴＭに適用する例について示したが、日本円から米国ドルに両替する取引（外貨販売取引）だけに対応するようにしてもよい。
【０１０９】
（Ｄ−２）上記の各実施形態では、本発明の取引装置を、日本円と米国ドルの間で両替するＡＴＭに適用する例について示したが、本発明の取引装置は、ＡＴＭに限定されず、第１の通貨の現金を、第２の通貨の現金に両替する両替取引（外貨両替の取引）に対応する他の装置（例えば、両替専用の装置等）に適用するようにしてもよい。
【符号の説明】
【０１１０】
１…ＡＴＭ、１１…制御部、１１１…取引処理部、１１２…通信部、１１３…両替レート決定部、１１４…両替レート範囲保持部、１２…顧客操作画面、１３…レシートプリンタ、１４…磁気カードリーダライタ、１５…通帳記帳機、１６…ジャーナルプリンタ、１７…スピーカ、１８…カメラ、１９…紙幣入出金機、２０…硬貨入出金機。
【図１】
2015143956.tif 000003
【図２】
2015143956.tif 000004
【図３】
2015143956.tif 000005
【図４】
2015143956.tif 000006
【図５】
2015143956.tif 000007
【図６】
2015143956.tif 000008
【図７】
2015143956.tif 000009